(57)【要約】【課題】着色された容器シートを通してカバーシートに表示された着色表示層を視認した際に、他のＰＴＰ包装体との間で着色表示層の色を容易に区別することができるＰＴＰ包装体を提供する。【解決手段】ＰＴＰ包装体１０Ａにおいて、カバーシート１４の容器シート１２側に、薬剤２０に係る文字情報を表示するための着色表示層２４が設けられている。収容される薬剤２０の含量及び／又は種類が異なる他のＰＴＰ包装体と区別するために、容器シート１２の色がプロセスカラーのＭ値１０〜９０％とＹ値６０〜１００％とを重ねた色に設定され、着色表示層２４の色がプロセスカラーのＣ値８０〜１００％の色に設定されている。【選択図】図１
2016128327.tif 000002
【特許請求の範囲】
【請求項１】
薬剤を収容するための収容部と、前記収容部の周囲を囲む平面部とを有し、着色された透明樹脂からなる容器シートと、
銀色の金属箔からなる基材を有し、前記収容部の開口部を閉鎖するように前記平面部に接合されたカバーシートと、
を備えたＰＴＰ包装体であって、
前記カバーシートの前記容器シート側に、前記薬剤に係る文字情報を表示するための着色表示層が設けられ、
収容される薬剤の含量及び／又は種類が異なる他のＰＴＰ包装体と区別するために、前記容器シートの色がプロセスカラーのＭ値１０〜９０％とＹ値６０〜１００％とを重ねた色に設定され、前記着色表示層の色がプロセスカラーのＣ値８０〜１００％の色に設定されている、
ことを特徴とするＰＴＰ包装体。
【請求項２】
請求項１記載のＰＴＰ包装体において、
前記他のＰＴＰ包装体では、容器シートの色がプロセスカラーのＭ値１０〜９０％とＹ値６０〜１００％とを重ねた色であり、カバーシートの前記容器シート側に設けられた着色表示層の色は、プロセスカラーのＣ値８０〜１００％とＭ値８０〜１００％とを重ねた色である、
ことを特徴とするＰＴＰ包装体。
【請求項３】
請求項１又は２記載のＰＴＰ包装体において、
横方向に並んで配置された複数の前記収容部、又は縦方向及び横方向に並んで配置された複数の前記収容部を有し、
前記ＰＴＰ包装体は、縦方向及び／又は横方向に隣接する前記収容部の間の箇所を切断することで、前記収容部を個々に含む複数の分割片に分割可能であり、
前記切断によって前記複数の分割片に分割された後においても、個々の前記分割片に前記文字情報が分断されることなく表示され、
前記容器シート側から前記ＰＴＰ包装体を見たとき、前記横方向に隣接する前記収容部の中心同士を結ぶ線分の中点を基準として対称的な位置に前記文字情報が配置されている、
ことを特徴とするＰＴＰ包装体。
【請求項４】
請求項３記載のＰＴＰ包装体において、
前記文字情報は、前記薬剤の含量を示す文字列を含み、
前記容器シート側から前記ＰＴＰ包装体を見たとき、前記中点の左上及び右下、又は前記中点の右上及び左下に、前記文字列の数字部分が配置されている、
ことを特徴とするＰＴＰ包装体。
【請求項５】
請求項１又は２記載のＰＴＰ包装体において、
横方向に並んで配置された複数の前記収容部、又は縦方向及び横方向に並んで配置された複数の前記収容部を有し、
前記ＰＴＰ包装体は、縦方向及び／又は横方向に隣接する前記収容部の間の箇所を切断することで、前記収容部を個々に含む複数の分割片に分割可能であり、
前記切断によって前記複数の分割片に分割された後においても、個々の前記分割片に前記文字情報が分断されることなく表示され、
前記容器シート側から前記ＰＴＰ包装体を見たとき、前記横方向に隣接する前記収容部の中心同士を結ぶ線分の中点を基準として点対称に前記文字情報が表示されている、
ことを特徴とするＰＴＰ包装体。
【請求項６】
請求項５記載のＰＴＰ包装体において、
前記文字情報は、前記薬剤の含量を示す横書きの文字列を含み、
前記文字列は、数字部分と単位部分により構成され、
前記容器シート側から前記ＰＴＰ包装体を見たとき、前記数字部分と前記単位部分は、前記中点を通る縦方向の仮想線を基準として互いに反対側の領域に配置されている、
ことを特徴とするＰＴＰ包装体。
【発明の詳細な説明】
【技術分野】
【０００１】
本発明は、ＰＴＰ包装体に関する。
【背景技術】
【０００２】
医薬品の包装体として、薬剤（錠剤、カプセル剤等）を保護するために、プレス・スルー・パッケージ（ＰＴＰ）包装体が用いられている。従来のＰＴＰ包装体は、透明な樹脂製の容器シートに形成された収容部内に薬剤を入れ、アルミニウム箔からなるカバーシート（包装シート）を容器シートの平面部に貼り付けることによって、収容部の開口を閉鎖する包装形態となっている（例えば、特許文献１）。
【０００３】
このようなＰＴＰ包装体では、収容部内の薬剤を収容部の外側からカバーシート側へ強く押し付けると、カバーシートを突き破って薬剤を取り出すことができる。特許文献１にも開示されているように、カバーシートの表面（容器シート側の面）と裏面には、製剤名（商品名）、含量、識別コード等の文字情報が印刷されることが多い。容器シートは透明であるため、カバーシートの容器シート側の面に印刷された文字情報は、容器シートを通して視認することができる。
【先行技術文献】
【特許文献】
【０００４】
【特許文献１】特開２０１４−４３２８１号公報
【発明の概要】
【発明が解決しようとする課題】
【０００５】
ＰＴＰ包装体では、光に対して不安定な薬剤の長期安定性を維持するために、透明樹脂製の容器シートとして、遮光の目的で着色された容器シート（遮光フィルム）が用いられることがあり、この場合の容器シートの色は主に橙色系統である。一方、複数種類のＰＴＰ包装体において、薬剤の種類・含量等を迅速に区別しやすくすることを目的として、カバーシートに印刷される文字情報の色は、異なる色とされている場合がある。なお、文字情報の色による区別はあくまで目的のＰＴＰ包装体を区別する際のきっかけに過ぎず、最終的に製剤名及び含量を確認したうえで目的とするＰＴＰ包装体を特定することとなる。
【０００６】
しかし、着色された容器シートを通してカバーシートに印刷された文字情報を見た場合、異種のＰＴＰ包装体間で色の区別がつきにくいことが多い。特に、文字色を紫色系にしたものと、緑色系にしたものは、着色された容器シートを通して見ると両方とも同じような色に見えるため、区別がつきにくかった。
【０００７】
また、ＰＴＰ包装体では、複数の薬剤を個々の収容部に収容した包装形態とし、薬剤を１つずつ取り出せるようになっていることが多い。しかし、このようなＰＴＰ包装体を個々に１つの薬剤を収容した複数の分割片に分割した場合、カバーシート上の文字情報（製剤名、含量等）が分断されて判読不能になってしまい、分割後の各分割片の薬剤が何の薬剤であるのか、あるいはどの含量の薬剤であるのかが分からなくなることがあった。
【０００８】
上記の課題に鑑み、本発明の主たる目的は、着色された容器シートを通してカバーシートに表示された文字情報を表示するための着色表示層を視認した際に、他のＰＴＰ包装体との間で着色表示層の色を容易に区別することができるＰＴＰ包装体を提供することにある。また、本発明の付随的な目的は、複数の分割片への分割後においても個々の分割片において文字情報を判読することができるＰＴＰ包装体を提供することにある。
【課題を解決するための手段】
【０００９】
上記の目的を達成するため、本発明は、薬剤を収容するための収容部と、前記収容部の周囲を囲む平面部とを有し、着色された透明樹脂からなる容器シートと、銀色の金属箔からなる基材を有し、前記収容部の開口部を閉鎖するように前記平面部に接合されたカバーシートと、を備えたＰＴＰ包装体であって、前記カバーシートの前記容器シート側に、前記薬剤に係る文字情報を表示するための着色表示層が設けられ、収容される薬剤の含量及び／又は種類が異なる他のＰＴＰ包装体と区別するために、前記容器シートの色がプロセスカラーのＭ値１０〜９０％とＹ値６０〜１００％とを重ねた色に設定され、前記着色表示層の色がプロセスカラーのＣ値８０〜１００％の色に設定されている、ことを特徴とする。
【００１０】
上記のように構成されたＰＴＰ包装体によれば、橙色系統に着色された容器シートを通して（つまり容器シート越しに）青色系統の着色表示層を見たときに、文字情報を表示するための着色表示層が明るい緑色に見える。このため、このＰＴＰ包装体の着色表示層の色は、他のＰＴＰ包装体における着色表示層の色との区別がつきやすい。従って、このＰＴＰ包装体によれば、容器シートを通してカバーシートに表示された文字情報を見ても、着色表示層の色を手掛かりに他のＰＴＰ包装体と容易に区別することができる。
【００１１】
上記のＰＴＰ包装体において、前記他のＰＴＰ包装体では、容器シートの色がプロセスカラーのＭ値１０〜９０％とＹ値６０〜１００％とを重ねた色であり、カバーシートの前記容器シート側に設けられた着色表示層の色は、プロセスカラーのＣ値８０〜１００％とＭ値８０〜１００％とを重ねた色であってもよい。
【００１２】
この場合、他のＰＴＰ包装体の着色表示層の色は紫色系であるため、容器シートを通して当該他のＰＴＰ包装体の着色表示層を見たとき、着色表示層は暗い緑色に見える。従って、容器シートを通して着色表示層を見たときに着色表示層が明るい緑色に見える本発明のＰＴＰ包装体と、他のＰＴＰ包装体との区別がつきやすい。
【００１３】
上記のＰＴＰ包装体において、横方向に並んで配置された複数の前記収容部、又は縦方向及び横方向に並んで配置された複数の前記収容部を有し、前記ＰＴＰ包装体は、縦方向及び／又は横方向に隣接する前記収容部の間の箇所を切断することで、前記収容部を個々に含む複数の分割片に分割可能であり、前記切断によって前記複数の分割片に分割された後においても、個々の前記分割片に前記文字情報が分断されることなく表示され、前記容器シート側から前記ＰＴＰ包装体を見たとき、前記横方向に隣接する前記収容部の中心同士を結ぶ線分の中点を基準として対称的な位置に前記文字情報が配置されていてもよい。
【００１４】
この構成によれば、ＰＴＰ包装体が収容部を個々に含む複数の分割片に分割された状態となっても、個々の分割片には文字情報が分断されることなく表示されるため、ＰＴＰ包装体の識別性を確保することができる。また、上記の位置に文字情報が配置されていることで、限られたスペース内で識別しやすい表示をすることができる。
【００１５】
上記のＰＴＰ包装体において、前記文字情報は、前記薬剤の含量を示す文字列を含み、前記容器シート側から前記ＰＴＰ包装体を見たとき、前記中点の左上及び右下、又は前記中点の右上及び左下に、前記文字列の数字部分が配置されていてもよい。
【００１６】
この構成によれば、大きな面積を確保しやすい位置に薬剤の含量を示す文字列の数字部分が縦方向にずれて配置されているため、当該数字部分を大きく見やすく表示し、薬剤の含量の識別性を効果的に高めることができる。
【００１７】
上記のＰＴＰ包装体において、横方向に並んで配置された複数の前記収容部、又は縦方向及び横方向に並んで配置された複数の前記収容部を有し、前記ＰＴＰ包装体は、縦方向及び／又は横方向に隣接する前記収容部の間の箇所を切断することで、前記収容部を個々に含む複数の分割片に分割可能であり、前記切断によって前記複数の分割片に分割された後においても、個々の前記分割片に前記文字情報が分断されることなく表示され、前記容器シート側から前記ＰＴＰ包装体を見たとき、前記横方向に隣接する前記収容部の中心同士を結ぶ線分の中点を基準として点対称に前記文字情報が表示されていてもよい。
【００１８】
この構成によれば、ＰＴＰ包装体が収容部を個々に含む複数の分割片に分割された状態となっても、個々の分割片には薬剤の文字情報が分断されることなく表示されるため、ＰＴＰ包装体の識別性を確保することができる。また、上記の位置に薬剤に係る文字情報が配置されていることで、限られたスペース内で文字情報を大きく見やすく表示し、ＰＴＰ包装体の識別性を効果的に高めることができる。
【００１９】
上記のＰＴＰ包装体において、前記文字情報は、前記薬剤の含量を示す横書きの文字列を含み、前記文字列は、数字部分と単位部分により構成され、前記容器シート側から前記ＰＴＰ包装体を見たとき、前記数字部分と前記単位部分は、前記中点を通る縦方向の仮想線を基準として互いに反対側の領域に配置されていてもよい。
【００２０】
この構成によれば、ＰＴＰ包装体が分割片に分割された状態では、互いに１８０°異なる向きで縦方向に離れた位置に配置された数字部分と単位部分とにより、薬剤の含量を認識することができる。
【発明の効果】
【００２１】
本発明のＰＴＰ包装体によれば、着色された容器シートを通してカバーシートに表示された着色表示層を視認した際に、他のＰＴＰ包装体との間で着色表示層の色を容易に区別することができる。
【図面の簡単な説明】
【００２２】
【図１】本発明の第１実施形態に係るＰＴＰ包装体の平面図である。
【図２】図１におけるＩＩ−ＩＩ線に沿ったＰＴＰ包装体の断面図である。
【図３】図３Ａは、図１に示すＰＴＰ包装体から切り離された分割片の平面図であり、図３Ｂは、図１に示すＰＴＰ包装体から切り離された他の分割片の平面図である。
【図４】本発明の第２実施形態に係るＰＴＰ包装体の平面図である。
【図５】図４に示すＰＴＰ包装体から切り離された分割片の平面図である。
【発明を実施するための形態】
【００２３】
以下、本発明に係るＰＴＰ包装体について好適な実施形態を挙げ、添付の図面を参照しながら説明する。
【００２４】
［第１実施形態］
図１は、本発明の第１実施形態に係るＰＴＰ包装体１０Ａの平面図である。図２は、図１におけるＩＩ−ＩＩ線に沿ったＰＴＰ包装体１０Ａの断面図である。図１及び図２に示すように、ＰＴＰ包装体１０Ａは、容器シート１２とカバーシート１４とを備え、容器シート１２の一方の面（裏面）にカバーシート１４が貼り付けられて構成されている。本実施形態において、ＰＴＰ包装体１０Ａは、縦方向（図１においてＹ方向）に長軸を有する略長方形状である。
【００２５】
容器シート１２は、薬剤２０が個々に収容される１つ以上の収容部１６と、収容部１６の周囲を囲む平面部１８とを有し、遮光のために着色された透明樹脂（遮光フィルム）からなる。薬剤２０の形態は、例えば、錠剤、カプセル剤等である。
【００２６】
本実施形態の場合、ＰＴＰ包装体１０Ａは、複数の薬剤２０を収容しており、これらの薬剤２０を個々に収容するために複数の収容部１６を備える。収容部１６は、カバーシート１４と反対側に平面部１８からドーム状に突出（膨出）している。換言すれば、収容部１６は、容器シート１２のカバーシート１４側に形成された凹部である。
【００２７】
ＰＴＰ包装体１０Ａにおいて、収容部１６は、横方向（Ｘ方向）に２つ、縦方向（Ｙ方向）に３つ以上並べて配置されている。横方向に隣接する２つの収容部１６は、横方向に一直線上（縦方向に関して同じ位置）に配置されている。また、縦方向に隣接する複数の収容部１６は、縦方向に一直線上（横方向に関して同じ位置）に配置されている。
【００２８】
収容部１６の形状は、平面視で、全体として略楕円形状であり、具体的には、２つの平行部１６ａと、当該２つの平行部１６ａの両端同士をつなぐ円弧状部１６ｂとを有する。なお、収容部１６の形状は、図示例の形状に制限されず、例えば、楕円形（幾何学的に定義される楕円形）、略円形状（円形又は円形に近い形状）、略四角形状（四角形又は四角形に近い形状）等であってもよい。
【００２９】
容器シート１２を構成する透明樹脂は、例えば、ポリオレフィン（例えば、ポリエチレン、ポリプロピレン、ポリブテン、あるいはこれら二種以上の混合物等）、ポリ塩化ビニル等から選択される一以上の材料により構成される。
【００３０】
容器シート１２は、光に不安定な薬剤２０の長期安定性を維持するため、遮光の目的で着色されている。容器シート１２の色は、プロセスカラーのＭ値１０〜９０％とＹ値６０〜１００％とを重ねた色（橙色系統）とされている（なお、Ｃ値及びＫ値は０％）。
【００３１】
ここで、プロセスカラーとは、印刷物において、基本となる４色のインキの組合せによって色を表現すること、またそのようにして表現された色のことである。４色は、「Ｃ」、「Ｍ」、「Ｙ」、「Ｋ」と略して表示され、それぞれ、シアン（Ｃｙａｎ）、マゼンタ（Ｍａｇｅｎｔａ）、イエロー（Ｙｅｌｌｏｗ）、黒（Ｋｅｙ）である。
【００３２】
カバーシート１４は、銀色の金属箔からなる基材２２を有し、収容部１６の開口部を閉鎖するように平面部１８に接合されている（貼り付けられている）。基材２２を構成する金属箔としては、例えば、アルミニウム箔が好適である。
【００３３】
カバーシート１４の少なくとも容器シート１２側には、収容部１６に収容された薬剤２０に係る文字情報を表示するための着色表示層２４が印刷によって設けられている。本実施形態の場合、薬剤２０に係る文字情報は、製剤名を示す文字列Ｃ１、薬剤２０の含量を示す文字列Ｃ２を含んでいる。文字列Ｃ２は、数字部分Ｎと単位部分ｕとにより構成されている。なお、薬剤２０に係る文字情報は、薬剤２０の識別コードを含んでいてもよい。
【００３４】
また、このＰＴＰ包装体１０Ａでは、着色表示層２４により、横方向に並ぶ収容部１６間の中心位置に、縦方向に延びる縦ライン２７が表示されている。
【００３５】
本実施形態の場合、製剤名を示す文字列Ｃ１と、含量を示す文字列Ｃ２の単位部分ｕは、着色表示層２４自体の色によって表示されている。一方、含量を示す文字列Ｃ２の数字部分Ｎは、輪郭を着色表示層２４によって形成することで表示されている。すなわち、数字部分Ｎ自体の色は、着色表示層２４の色ではなく、基材２２の色（銀色）である。なお、文字情報を、着色表示層２４自体の色で表示するか、着色表示層２４で輪郭を形成することで着色表示層２４ではない部分（基材２２）の色で表示するかは、ＰＴＰ包装体１０Ａの意匠等を考慮して任意に決定してよい。
【００３６】
ＰＴＰ包装体１０Ａでは、収容される薬剤２０の含量及び／又は種類が異なる他のＰＴＰ包装体（図示せず）と区別するために、着色表示層２４の色がプロセスカラーのＣ値８０〜１００％の色（青色系統）に設定されている（なお、Ｍ値、Ｙ値、Ｋ値はそれぞれ０％）。
【００３７】
このＰＴＰ包装体１０Ａの場合、橙色系統に着色された容器シート１２を通して（つまり容器シート１２越しに）青色系統の着色表示層２４を見ると、着色表示層２４が明るい緑色に見える。この場合、容器シート１２を通して見える着色表示層２４の明るい緑色は、プロセスカラーではＣ値８０〜１００％及びＹ値８０〜１００％を重ねた色に相当する。
【００３８】
上記他のＰＴＰ包装体１０Ａは、市場で入手可能な製品を想定している。従って、医療現場あるいは一般家庭においてＰＴＰ包装体１０Ａと他のＰＴＰ包装体の両方を保有する場合、これらを区別して使用する必要がある。
【００３９】
具体的に、上記他のＰＴＰ包装体は、本発明のＰＴＰ包装体１０Ａと同様に容器シートとカバーシートとを備えたものである。また、上記他のＰＴＰ包装体において、容器シートの色は、プロセスカラーのＭ値１０〜９０％とＹ値６０〜１００％とを重ねた色とされ、カバーシート１４の容器シート側に設けられた着色表示層の色は、プロセスカラーのＣ値８０〜１００％とＭ値８０〜１００％とを重ねた色（紫色系統）とされている（なお、Ｙ値及びＫ値は０％）。
【００４０】
他のＰＴＰ包装体の場合、橙色系統に着色された容器シートを通して紫色系統の着色表示層を見ると、着色表示層が暗い緑色に見える。この場合、容器シートを通して見える着色表示層の暗い緑色は、プロセスカラーではＣ値８０〜１００％、Ｍ値８０〜１００％及びＹ値８０〜１００％を重ねた色に相当する。
【００４１】
図１に示すように、ＰＴＰ包装体１０Ａは、縦方向に隣接する収容部１６間の各位置に、横方向に延在するミシン目状の複数のスリット２５からなる破断部２６（脆弱部）を備えており、破断部２６の箇所で折り曲げて破断することにより、ＰＴＰ包装体１０Ａを複数の分離片に分離できるようになっている。本実施形態の場合、破断部２６の箇所で分離された状態の各分離片は、２つの薬剤２０及び収容部１６を含む。
【００４２】
さらに、ＰＴＰ包装体１０Ａは、横方向に隣接する収容部１６の間の箇所を縦方向に切断又は破断することで、収容部１６（及び薬剤２０）を個々に含む複数の分割片２８（図３Ａ及び図３Ｂ参照）に分割可能に構成されている。
【００４３】
また、図１に示すように、容器シート１２側からＰＴＰ包装体１０Ａを見たとき、横方向に隣接する収容部１６の中心Ａ同士を結ぶ線分Ｌの中点Ｂを基準として対称的な位置に薬剤２０に係る文字情報（本実施形態の場合、製剤名を示す文字列Ｃ１及び含量を示す文字列Ｃ２）が配置されている。これらの文字情報は、ＰＴＰ包装体１０Ａが複数の分割片２８に分割された後においても、個々の分割片２８に文字情報が分離されることなく表示されるように配置されている。
【００４４】
より具体的には、容器シート１２側からＰＴＰ包装体１０Ａを見たとき、上記中点Ｂの左上及び右下の位置に、薬剤２０の含量を示す文字列Ｃ２の数字部分Ｎが配置されている。各数字部分Ｎの近傍には含量の単位部分ｕ（図示例の場合、「ｍｇ」）が付帯して配置されている。本実施形態では、中点Ｂの左上の数字部分Ｎについては当該数字部分Ｎの直ぐ下に単位部分ｕが配置されており、中点Ｂの右下の数字部分Ｎについては当該数字部分Ｎの右下近傍に単位部分ｕが配置されている。
【００４５】
また、図示例のＰＴＰ包装体１０Ａでは、容器シート１２側からＰＴＰ包装体１０Ａを見たとき、左側の収容部１６の下と、右側の収容部１６の上に、それぞれ製剤名を示す文字列Ｃ１が横書きで配置されている。
【００４６】
なお、含量を示す文字列Ｃ２の数字部分Ｎは、上記中点Ｂの右上及び左下に配置されていてもよい。この場合、左側の収容部１６の上と、右側の収容部１６の下に、それぞれ製剤名を示す文字列Ｃ１が横書きで配置されるとよい。
【００４７】
本実施形態に係るＰＴＰ包装体１０Ａは、基本的には以上のように構成されるものであり、以下、その作用及び効果について説明する。
【００４８】
上記のように構成されたＰＴＰ包装体１０Ａによれば、橙色系統に着色された容器シート１２を通して（つまり容器シート１２越しに）青色系統の着色表示層２４を見たときに、文字情報を表示するための着色表示層２４が明るい緑色に見える。このため、このＰＴＰ包装体１０Ａの着色表示層２４の色は、他のＰＴＰ包装体１０Ａにおける着色表示層２４の色との区別がつきやすい。
【００４９】
従って、このＰＴＰ包装体１０Ａによれば、容器シート１２を通してカバーシート１４に表示された文字情報を見ても、着色表示層２４の色を手掛かりに他のＰＴＰ包装体と容易に区別することができる。
【００５０】
特に、他のＰＴＰ包装体では、容器シートの色がプロセスカラーのＭ値１０〜９０％とＹ値６０〜１００％とを重ねた色（橙色系統）であり、カバーシートの容器シート側に設けられた着色表示層の色は、プロセスカラーのＣ値８０〜１００％とＭ値８０〜１００％とを重ねた色（紫色系統）である。このため、容器シートを通して当該他のＰＴＰ包装体の着色表示層を見たとき、着色表示層は暗い緑色に見える。従って、容器シート１２を通して着色表示層２４を見たときに着色表示層２４が明るい緑色に見える本発明のＰＴＰ包装体１０Ａと、他のＰＴＰ包装体との区別がつきやすい。
【００５１】
ＰＴＰ包装体１０Ａを、破断部２６の箇所で分離させて分離片に切り分け、さらに１つの分離片を収容部１６間のちょうど真ん中（中点Ｂの位置）で適宜の切断器具（鋏等）により縦方向に切断すると、図３Ａ及び図３Ｂのような分割片２８となる。
【００５２】
このように、ＰＴＰ包装体１０Ａが収容部１６を個々に含む複数の分割片２８に分割された状態となっても、個々の分割片２８には薬剤２０に係る文字情報が分断されることなく表示されるため、ＰＴＰ包装体１０Ａの識別性を確保することができる。すなわち、個々の分割片２８において、製剤名を示す文字列Ｃ１（「ＡＢＣ」）は、分断されることなく表示されており、含量を示す文字列Ｃ２（「１０ｍｇ」）も、分断されることなく表示されている。
【００５３】
また、ＰＴＰ包装体１０Ａでは、上記の位置に薬剤２０に係る文字情報が配置されていることで、限られたスペース内で識別しやすい表示をすることができる。
【００５４】
さらに、容器シート１２側からＰＴＰ包装体１０Ａを見たとき、中点Ｂの左上及び右下（変形例では、中点Ｂの右上及び左下）に、数字部分Ｎが配置されている。この構成によれば、大きな面積を確保しやすい位置に薬剤２０の含量を示す文字列Ｃ２の数字部分Ｎが縦方向にずれて配置されているため、当該数字部分Ｎを大きく見やすく表示し、薬剤２０の含量の識別性を効果的に高めることができる。
【００５５】
［第２実施形態］
図４は、本発明の第２実施形態に係るＰＴＰ包装体１０Ｂの平面図である。なお、第２実施形態に係るＰＴＰ包装体１０Ｂにおいて、第１実施形態に係るＰＴＰ包装体１０Ａと同一又は同様な機能及び効果を奏する要素には同一の参照符号を付し、詳細な説明を省略する。
【００５６】
このＰＴＰ包装体１０Ｂは、主として、着色表示層２４の配置、換言すれば、薬剤２０に係る文字情報の表示形態（配置形態）において、上述した第１実施形態に係るＰＴＰ包装体１０Ａと異なっている。
【００５７】
ＰＴＰ包装体１０Ｂにおける文字情報は、ＰＴＰ包装体１０Ｂが複数の分割片３０（図５参照）に分割された後においても、個々の分割片３０に文字情報が分断されることなく表示されるように配置されている。
【００５８】
具体的には、図４に示すように、このＰＴＰ包装体１０Ｂでは、容器シート１２側からＰＴＰ包装体１０Ｂを見たとき、横方向に隣接する収容部１６の中心Ａ同士を結ぶ線分Ｌの中点Ｂを基準として点対称に文字情報が表示されている。このため、このＰＴＰ包装体１０Ｂでは、製剤名を示す文字列Ｃ１及び含量を示す文字列Ｃ３が、中点Ｂを中心に１８０°回転させた向き及び位置で配置されている。
【００５９】
容器シート１２側からＰＴＰ包装体１０Ｂを見たとき、中点Ｂの右上及び左下の位置に、薬剤２０の含量を示す文字列Ｃ３の数字部分Ｎが配置されている。また、文字列Ｃ３の数字部分Ｎと単位部分ｕは、中点Ｂを通る縦方向の仮想線Ｌ１を基準として互いに反対側の領域に配置されている。単位部分ｕは数字部分Ｎの直ぐ横に配置されている。従って、図４の状態、すなわちＰＴＰ包装体１０Ｂを複数の分割片３０に切り分ける前の状態においては、数字部分Ｎとその直ぐ横の単位部分ｕとからなる一連の文字列Ｃ３（図示例の場合、「１０ｍｇ」）によって、薬剤２０の含量を認識することができる。
【００６０】
このように、ＰＴＰ包装体１０Ｂでは、大きな面積を確保しやすい位置に薬剤２０の含量を示す文字列Ｃ３が配置されているため、限られたスペース内で当該文字列Ｃ３を大きく見やすく表示し、薬剤２０の含量の識別性を効果的に高めることができる。
【００６１】
なお、図示例のＰＴＰ包装体１０Ｂでは、容器シート１２側からＰＴＰ包装体１０Ｂを見たとき、左側の収容部１６の下と、右側の収容部１６の上に、それぞれ製剤名を示す文字列Ｃ１が横書きで配置されている。
【００６２】
上記のように構成されたＰＴＰ包装体１０Ｂを、破断部２６の箇所で分離させて分離片に切り分け、さらに１つの分離片を収容部１６間のちょうど真ん中（中点Ｂの位置）で適宜の切断器具（鋏等）により縦方向に切断すると、図５のような分割片３０となる。ＰＴＰ包装体１０Ｂが分割片３０に分割された状態では、分割片３０は、数字部分Ｎと単位部分ｕとを含むため、薬剤２０の含量に係る情報は分断されていない。従って、互いに１８０°異なる向きで縦方向に離れた位置に配置された数字部分Ｎと単位部分ｕとにより、薬剤２０の含量を認識することができる。
【００６３】
このように、ＰＴＰ包装体１０Ｂが収容部１６を個々に含む複数の分割片３０に分割された状態となっても、個々の分割片３０には薬剤２０に係る文字情報が分断されることなく表示されるため、薬剤２０の識別性を確保することができる。
【００６４】
なお、第２実施形態において、第１実施形態と共通する各構成部分については、第１実施形態における当該共通の各構成部分がもたらす作用及び効果と同一又は同様の作用及び効果が得られることは勿論である。
【００６５】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【００６６】
１０Ａ、１０Ｂ…ＰＴＰ包装体            １２…容器シート
１４…カバーシート                      １６…収容部
２４…着色表示層                        ２８、３０…分割片
Ｃ１…製剤名を示す文字列                Ｃ２、Ｃ３…含量を示す文字列
【図１】
2016128327.tif 000003
【図２】
2016128327.tif 000004
【図３】
2016128327.tif 000005
【図４】
2016128327.tif 000006
【図５】
2016128327.tif 000007